(57)【要約】【課題】梱包済みの複数個のバンパーをその前後方向に重ね合わせた状態で、バンパー間にデッドスペースが生ぜず、又、デザインが幾分相異する複数種類のバンパーに共用出来るバンパー用の梱包材を提供する。【解決手段】梱包材は１枚又は複数枚の段ボールから成り、角筒状に折上げられる本体カバー両端に延設したコーナーカバーは、コーナー部の側面を覆う側面片の上・下両縁部に、コーナー部の上面及び下面を覆い、且つ、その一部を角筒状に折曲した本体カバーの上・下両面に重合させる為の、上面片，下面片を延設した形態を備え、この両片には上記被覆状態を固定させる重合片を夫々延設する。又、梱包状態で、左右のコーナーカバーの各先端間の間隔Ｌが、本体カバーの長さＳより広くなる様に、又、下面片が上向きに傾斜する様に段ボールの形状を設定し、側面片には、コーナー部の上縁及び下縁部分をくるみ込む為の縁部カバー片を延設する。【選択図】　　　図１
2004091026.tif 000002
【特許請求の範囲】
【請求項１】
バンパーを構成するバー状の本体部と、その左右両端に連なるコーナー部とを、一緒にくるみ込める形状に裁断された１枚又は複数枚の段ボールから成るものであって、
前記段ボール１００は、角筒状に折上げてバンパーの本体部をくるみ込む本体カバー１０１と、その左右両端に延設されて、コーナー部をくるみ込む１組のコーナーカバー１０２とから成り、
コーナーカバー１０２は、コーナー部の側面を覆う側面片１１と、側面片１１の上・下両縁部に延設されて、コーナー部の上面及び下面を覆い、且つ、その一部を角筒状に折曲した本体カバー１０１の上・下両面に夫々重合させる為の、上面片１２及び下面片１３と、
側面片１１、上面片１２、及び下面片１３によってコーナー部を覆った状態を固定させる為に、上面片１２及び下面片１３に夫々延設されて、互いに係止状態で重なり合う１組の重合片１４及び１５とを備えており、
コーナーカバー１０２がコーナー部を覆った状態で、左右１組のコーナーカバー１０２の各先端間の間隔Ｌが、本体カバー１０１の長さＳより広くなる様に段ボール１００の形状を設定することにより、梱包済みのバンパー同士を、その前後方向にコンパクトに重ね合わせられる様にしたことを特徴とするバンパー用の梱包材。
【請求項２】
前記側面片１１には、コーナー部の湾曲した側面に沿わせる為の屈曲用折目Ａが、１箇所以上に設けられていることを特徴とする請求項１記載のバンパー用の梱包材。
【請求項３】
梱包を終えた状態で、前記下面片１３が、上向きに傾斜する様に、段ボール１００の形状を設定することによって、梱包済みのバンパー同士を、その前後方向に重ね合わせる際に、コーナー部同士の干渉を避けられる様にしたことを特徴とする請求項１記載のバンパー用の梱包材。
【請求項４】
前記側面片１１に、コーナー部の上縁部及び下縁部をくるみ込む為の縁部カバー片１８及び１９を延設したことを特徴とする請求項１記載のバンパー用の梱包材。
【請求項５】
コーナー部の下縁部をくるみ込む前記縁部カバー片１９は、前記側面片１１に切れ目２０を設けることによって、その基端部分を側面片１１に食い込ませたことを特徴とする請求項４記載のバンパー用の梱包材。
【請求項６】
前記縁部カバー片１８，１９は、そのくるみ込み方向に複数列の平行折目Ｃを設けることによって、コーナー部の上縁部及び下縁部の形状が夫々異なる複数種類のバンパーに兼用出来る様にしたことを特徴とする請求項４又は５記載のバンパー用の梱包材。
【請求項７】
前記側面片１１には、コーナー部の上縁部及び下縁部をくるみ込んだ状態の縁部カバー片１９又は１８を押さえ付けて固定させる為の、掛止片ｇを備えた固定片２１又は補助縁部カバー片１８ａ連設したことを特徴とする請求項４乃至６のいずれかに記載のバンパー用の梱包材。
【発明の詳細な説明】
【０００１】
【発明の属する技術分野】
本発明は、梱包済みの、上面視形状がほぼコ字形をしたタイプのバンパー同士を、その前後方向に重ね合わせた状態で保管・輸送する際に、無駄なデッドスペースが生じない様に、又、形状が幾分異なるバンパーに共用出来る様に改良されたバンパー用の梱包材に関する。
【０００２】
【従来の技術】
図８に、バー状の本体部の左右両端に、後方に向きに屈曲して伸びるコーナー部を延設したタイプのバンパーを、段ボール製の従来の梱包材３００を使って梱包した状態を示した。
この梱包材３００は、１枚の段ボールから成り、バンパーの本体部を包み込む為の、角筒状に折上げられる本体カバー３０１の両側端に、コーナー部を包み込む為の、箱形に折上げられるコナーカバー３０２を連設した形態を備えている。梱包し終えた状態の梱包材３００は、その上面視形状が長細いコ字形を成している。
【０００３】
【発明が解決しようとする課題】
その為、梱包済みのバンパー同士を、その前後方向に重ね合わせて、コンパクトにまとめた状態で、保管・輸送したくても、図９に示した様に、かなりのデッドスペースＳが生じざるを得なかった。
【０００４】
又、バンパーのデザインやサイズは、車種毎に異なっているのが一般である。その為、バンパーの梱包材は、出来得る限り多くの種類のバンパーに共用出来る様な構造を備えていることが望ましい。
然し、従来は、実用に耐え得る、簡単な構造にまとめることが難しかった。
【０００５】
そこで、本発明の目的は、梱包済みのバンパー同士を、デッドスペースが生じない状態で前後方向に重ね合わせられると共に、デザインやサイズが夫々幾分相異する複数種類のバンパーに共用出来る様に構成されたバンパー用の梱包材を提供するにある。
【０００６】
【課題を解決するための手段】
上記の目的を達成する為の、本発明によるバンパー用の梱包材は、
バンパーを構成するバー状の本体部と、その左右両端に連なるコーナー部とを、一緒にくるみ込める形状に裁断された１枚又は複数枚の段ボールから成るものであって、
前記段ボール１００は、角筒状に折上げてバンパーの本体部をくるみ込む本体カバー１０１と、その左右両端に延設されて、コーナー部をくるみ込む１組のコーナーカバー１０２とから成り、
コーナーカバー１０２は、コーナー部の側面を覆う側面片１１と、側面片１１の上・下両縁部に延設されて、コーナー部の上面及び下面を覆い、且つ、その一部を角筒状に折曲した本体カバー１０１の上・下両面に夫々重合させる為の、上面片１２及び下面片１３と、
側面片１１、上面片１２、及び下面片１３によってコーナー部を覆った状態を固定させる為に、上面片１２及び下面片１３に夫々延設されて、互いに係止状態で重なり合う１組の重合片１４及び１５とを備えており、
コーナーカバー１０２がコーナー部を覆った状態で、左右１組のコーナーカバー１０２の各先端間の間隔Ｌが、本体カバー１０１の長さＳより広くなる様に段ボール１００の形状を設定することにより、梱包済みのバンパー同士を、その前後方向にコンパクトに重ね合わせられる様にしたことを特徴とする。
前記側面片１１には、コーナー部の湾曲した側面に沿わせる為の屈曲用折目Ａを、１箇所以上に設けるとよい。
そして、梱包を終えた状態で、前記下面片１３が、上向きに傾斜する様に、段ボール１００の形状を設定することによって、梱包済みのバンパー同士を、その前後方向に重ね合わせる際に、コーナー部同士の干渉を避けられる様にしたことを特徴とする。
前記側面片１１に、コーナー部の上縁部及び下縁部をくるみ込む為の縁部カバー片１８及び１９を延設するとよい。
そして、コーナー部の下縁部をくるみ込む前記縁部カバー片１９は、前記側面片１１に切れ目２０を設けることによって、その基端部分を側面片１１に食い込ませるとよい。
又、前記縁部カバー片１８，１９は、そのくるみ込み方向に複数列の平行折目Ｃを設けることによって、コーナー部の上縁部及び下縁部の形状が夫々異なる複数種類のバンパーに兼用出来る様にするとよい。
更に、前記側面片１１には、コーナー部の上縁部及び下縁部をくるみ込んだ状態の縁部カバー片１９又は１８を押さえ付けて固定させる為の、掛止片ｇを備えた固定片２１又は補助縁部カバー片１８ａを連設するとよい。
【０００７】
【発明の実施の形態】
以下に、本発明の一実施例に就いて、図１〜図６を参照しながら説明する。
部分図としての図２に示した様に、梱包すべきバンパー２００は、バー状の本体部２０１の左右両端に車体の四隅箇所を防護するコーナー部２０２を連設した形態を備えている。
【０００８】
そして、この実施例の梱包材は、図１に示し形状に裁断された１枚の段ボール１００から成る。
この段ボール１００は、角筒状に折上げて、バンパー２００の本体部２０１をくるみ込む為の本体カバー１０１と、その左右両端に連設されて、両コーナー部２０２を夫々くるみ込む為の（図５参照）、左右１組のコーナーカバー１０２とから成る。
【０００９】
本体カバー１０１は、バンパーの本体部２０１の前面に当接させる長方形の部分を前面片１としている。
前面片１の上縁には、本体部２０１の上面に当接させる上側片２及び蓋片３を、平行折目を介して順次延設している。
前面片１の下縁には、本体部２０１の下面に当接させる下側片４及び蓋閉片５を、平行折目を介して順次連設している。
蓋片３及び蓋閉片５には、本体カバー１０１を角筒状に折上げた状態を固定させる為の掛止突片６、及びその挿嵌用の切れ目７を設けている。
【００１０】
左右１組のコーナーカバー１０２は、左右対称形なので、図の左側のコーナーカバー１０２に限って、以下にその構成を説明する。
コーナーカバー１０２は、本体カバー１０１の前面片１の側端に折目を介して連なり、バンパーのコーナー部２０２の湾曲した側面を覆う為の、側面片１１をその本体部分としている。
【００１１】
側面片１１には、その長手方向の中間箇所に屈曲用折目Ａを設けて、コーナー部２０２の湾曲した側面に沿わせられる様にしている。
説明の便宜上、この屈曲用折目Ａから右側の部分を第１斜面１１ａ、そして左側の部分を第２斜面１１ｂと名付けることにする。
【００１２】
ところで、コーナー部２０２は、図２に示した様に、その側端部分が、先端に向けて上向きに傾斜している。
そこで、この傾斜形状に対応させるべく、第２斜面１１ｂの上下方向の巾寸法は、第１斜面１１ａの巾寸法より狭くしている。
従って、第１斜面１１ａは、その下縁側を斜辺ｄとした台形を成している。
【００１３】
第２斜面１１ｂの上縁には、上面片１２を折目を介して延設している。
この上面片１２は、コーナー部２０２の上面を覆い、且つ、その一部を本体カバー１０１の上側片２の内面に重合させることにより、梱包材の折上形状を安定させる役割を果たすものである。
【００１４】
上面片１２の形状は、上記の重合状態で、第１斜面１１ａ及び第２斜面１１ｂを、コーナー部２０２の湾曲側面に沿わせられる様にする為に、図示の様にく字形に類する形状にしている。
そして、く字形に折曲する境目（仮想線ｅで示す）から先の部分を、上側片２への重合部分１２ａとしている（図３参照）。
【００１５】
更に、第２斜面１１ｂの下縁のうち、第１斜面１１ａに近い側の部分には、下面片１３を折目を介して延設している。
この下面片１３は、コーナー部２０２の下面を覆い、且つ、その一部を本体カバー１０１の下側片４の内面に重合させることにより、梱包材の折上形状を安定させる役割を果たすものである。
【００１６】
下面片１３も、上面片１２と同様に、く字形に類する形状にしている。そして、く字形に折曲する境目に折目Ｂを設けて、この折目Ｂから先を重合部分１３ａとしている。
この折目Ｂは、図３に示した様に、第１斜面１１ａの斜辺ｄに、下面片１３の側縁を当接させ、且つ、重合部分１３ａを下側片４の内面に重合させるのに役立つ。
【００１７】
上面片１２及び下面片１３の各重合部分１２ａ及び１３ａには、夫々の左側縁部に、重合片１４及び１５を折目を介して延設している。
両重合片１４，１５は、図３に示した様に、対向状に水平向きに折曲して、互いに重ね合わされる。
この重合状態を固定させる為に、両重合片１４及び１５には、切起状に形成される掛止片１６及び掛止孔１７を設けている。
【００１８】
第２斜面１１ｂの上縁の先端側には、コーナー部２０２の先端の上縁部分をくるみ込む為の、複数条の平行折目Ｃを設けた縁部カバー片１８を折目を介して延設している。
更に、第２斜面１１ｂの側端部には、縁部カバー片１８と共同して前記上縁部分をくるむ為の補助縁部カバー片１８ａを、切込状に形成させている。
【００１９】
そして、第２斜面１１ｂの下縁の先端寄り部分には、コーナー部２０２の先端の下縁部分をくるみ込む為の、複数条の平行折目Ｃを設けた縁部カバー片１９を折目を介して延設している。
【００２０】
この縁部カバー片１９の基端側は、第２斜面１１ｂの下縁側に所定長さの切れ目２０を切り込み状に設けることによって、この下縁側に部分的に食い込んだ状態にしている。
更に、第２斜面１１ｂの左側縁部には、縁部カバー片１９による、くるみ込み状態を固定させる為の固定片２１を折目を介して延設している。
【００２１】
縁部カバー片１８と補助縁部カバー片１８ａ、及び、縁部カバー片１９と固定片２１には、コ字形切れ目ｆと、この切れ目に押し込んで掛止させる鳩尾状の掛止片ｇを形成させる為の、切起用切れ目を設けている。
尚、縁部カバー片１９には、コ字形切れ目ｆを所定間隔を隔てた複数箇所に設けて、車種によるコーナー部２０２の形状の相異に対応させている。
【００２２】
次に、上記梱包材の使い方と、特長的な機能に就いて説明する。
梱包材は、１枚の段ボール１００に展開し状態で、或いは、適宜に折畳んだ状態で需要者に供給される。
そこで先ず、図２に示した様に、バンパー２００を、その前面部分が展開した段ボール１００の前面片１の部分に当てがわれた状態で載せる。つまり、バンパー２００の前面側を下向きにして載せる。
【００２３】
然かる後、図３に示した様に、コーナーカバー１０２の上面片１２及び下面片１３を折目に沿って立ち上がらせ、バンパー２００（図示略）の本体部２０１とコーナー部２０２に跨がらせた状態で、夫々の上面及び下面に当てがう。
次いで、上下両片１２，１３に延設されている重合片１４及び１５を、対向状に水平向きに折曲しながら、掛止片１６を掛止孔１７に引っ掛ければ、上面片１２及び下面片１３を、上記の如くしてコーナー部２０２に当てがった状態が固定される。
【００２４】
続いて、図４に示した様に、本体カバー１０１を、バンパー２００の本体部２０１を包み込む様にして角筒状に折り曲げ、掛止突片６を切れ目７に挿嵌させれば、角筒形状が固定される。
【００２５】
然かる後、図５に示した様に、縁部カバー片１８及び補助縁部カバー片１８ａによって、コーナー部２０２の先端部の上縁部分をくるみ込んだうえ、鳩尾状の掛止片ｇを、対向して位置するコ字形切れ目ｆの部分に重ね合わせる。
そして、この重合部分を夫々に設けた折目に沿って内向きに２つ折状に折曲させると、鳩尾状の掛止片ｇが、コ字形切れ目ｆに引っ掛かって、上記のくるみ込み状態が確実に固定される。
【００２６】
更に、コーナー部２０２の先端部の下縁部分も、縁部カバー片１９でくるみ込んだうえ、固定片２１を折曲げて縁部カバー１９の上に覆い被せる。
そして、固定片２１に設けた鳩尾状の掛止片ｇを、縁部カバー１９の複数箇所に設けてあるコ字形切れ目ｆのいずれかに、上記と同様にして引っ掛けることによって、くるみ込み状態を固定させる。
【００２７】
図示を省いた右側のコーナー部２０２も、上記と同様にして、右側のコーナーカバー１０２によってくるみ込み終えれば、バンパー２００の梱包作業は完了する。
この様にして、バンパー２００を、梱包材を使って梱包し終えた状態で、図５に示した、左右のコーナーカバー１０２の各先端間の間隔Ｌは、本体カバー１０１の長さＳより広くなっている。
【００２８】
又、図１に示した様に、コーナーカバー１０２の側面片１１は、その第１斜面１１ａが台形を成している為に、図３に示した様に、下面片１３は、その重合部分１３ａを除いて、バンパー２００の側端に向けて上向き（図中で）に傾斜している。
更に、第２斜面１１ｂの下縁側に切れ目２０を設けたことによって、下側の縁部カバー片１９は、切れ目２０の深さ分だけ持ち上げ得る状態にある。
【００２９】
その為、梱包済みの複数個のバンパー２００を、保管・輸送の便の為に、図６に示した様に、その前後方向に重ね合わせた場合に、隣接するバンパー２００のコーナー部２０２同士が互いに干渉し合う不都合を生じない。
【００３０】
つまり、図８，図９に示した従来の梱包材３００とは異なって、梱包済みのバンパー同士を、その前後方向に、互いに密着状態で隙間無く重ね合わせることが出来る。又、安定した状態で積み重ねることが出来る。
【００３１】
更には、コーナー部２０２の先端部の上縁及び下縁部分を夫々くるみ込む為の、縁部カバー片１８，１８ａ及び１９の夫々には、折り曲げ方向に複数条の平行折目Ｃを設けている。
【００３２】
その為、バンパーの種類毎に、コーナー部２０２の形状が多少相異していても、これ等の複数条の平行折目Ｃの折曲げ方を、上記の形状に合わせて自由に変えることが出来る。
そして、この折り曲げ方の違いに対応すべく、掛止片ｇを掛止させる、コ字形切れ目ｆも複数箇所に設けている。
つまり、本発明による梱包材は、タイプが夫々異なる複数種類のバンパーへの、共用性を備えている。
【００３３】
次に、図７に、縁部カバー片１９の固定方法を幾分相異させた点が、上記実施例とは異なる、他の実施例を示した。
図７は、段ボール１００の要部の部分拡大図で、図示の様に、縁部カバー片１９に延設した固定片２１には、前記実施例の掛止片ｇの代わりに、既述の重合片１４に設けたのと同様の、掛止片１６を設けている。
【００３４】
尚、この実施例のバンパー用の梱包材は、所定の形状に裁断した１枚の段ボールから折上げているが、段ボール原反からの裁断上の都合等によっては、この１枚の段ボールを、複数枚に分割した状態で裁断しても勿論よい。
【００３５】
【発明の効果】
以上の説明によって明らかな様に、本発明によるバンパー用の梱包材は、図８に示した従来タイプの梱包材に比べて、以下に列挙した如き実用上の優れた効果を発揮する。
（ａ）梱包済みのバンパーの複数個を、保管・輸送の便の為にその前後方向に重ね合わせた状態で、隣接するバンパー間にデッドスペースが生じない。
（ｂ）その分、保管・輸送費を節約出来る。又、安定に段積み出来る。
（ｃ）コーナー部の縁部をくるみ込む縁部カバー片に、複数列の平行折目を設ける等したことによって、コーナー部のデザイン・サイズが夫々多少相異する、複数種類のバンパーに共用出来る。
（ｄ）コーナー部を収める部分が箱形をしたものに比べて、材料費を節減出来る。
【図面の簡単な説明】
【図１】本発明の一実施例を示すもので、梱包材を１枚の段ボールに展開した状態の平面図である。
【図２】同上、展開した梱包材の上にバンパーを載せた状態を示す部分斜視図である。
【図３】同上、上面片と下面片を立ち上げたうえ、１組の重合片を水平向きに重ね合わせた状態の部分斜視図である。
【図４】同上、梱包材の本体カバーの部分を角筒状に折上げた状態の部分斜視図である。
【図５】同上、バンパーのコーナー部の先端部の上縁及び下縁部分を、縁部カバー片でくるみ、梱包を終えた状態の部分斜視図である。
【図６】同上、梱包済みのバンパーを、その前面側を下向きにして、二段積みした状態の部分斜視図である。
【図７】本発明の他の実施例を示すもので、段ボールの部分拡大平面図である。
【図８】従来例を示すもので、バンパー用の梱包材を折上げた状態の斜視図である。
【図９】同上、梱包済みのバンパーを二段積みした状態の側面図である。
【符号の説明】
１００　段ボール（梱包材）
１０１　本体カバー
１０２　コーナーカバー
２００　バンパー
２０１　本体部
２０２　コーナー部
３００　従来の梱包材
１　前面片
２　上側片
３　蓋片
４　下側片
５　蓋閉片
６　掛止突片
７　コ字形切れ目
１１　側面片
１１ａ　第１斜面
１１ｂ　第２斜面
１２　上面片
１２ａ，１３ａ　重合部分
１３　下面片
１４，１５　重合片
１６　掛止片
１７　掛止孔
１８，１９　縁部カバー片
１８ａ　補助縁部カバー片
２０　コ字形切れ目
２１　固定片
Ａ　屈曲用折目
Ｂ　折目
Ｃ　平行折目
ｄ　斜辺
ｅ　仮想線
ｆ　コ字形切れ目
ｇ　掛止片
ｓ　デッドスペース
【図１】
2004091026.tif 000003
【図２】
2004091026.tif 000004
【図３】
2004091026.tif 000005
【図４】
2004091026.tif 000006
【図５】
2004091026.tif 000007
【図６】
2004091026.tif 000008
【図７】
2004091026.tif 000009
【図８】
2004091026.tif 000010
【図９】
2004091026.tif 000011